(57)【要約】【課題】軽量化及び薄肉化が可能なルーバーフィルムを備えた表示機器を提供する。【解決手段】光源と、光源より観察者側に備えられ、２枚の偏光板、及び該２枚の偏光板の間に配置された液晶層を有する液晶パネルと、液晶パネルの内部又は外部に備えられ、光を透過可能にフィルム面に沿って並列された光透過部、及び、光透過部間に光を吸収可能に並列された光吸収部を有するルーバーフィルムと、を備え、ルーバーフィルムは、液晶層よりも光源側に配置されるとともに、ルーバーフィルムの一方の面が空気層に面するとともに一方の面が粘着剤層を介して他の部材に貼合されている、又は、ルーバーフィルムの両面が粘着剤層を介して他の部材に貼合されている。【選択図】図４
2014206754.tif 000002
【特許請求の範囲】
【請求項１】
光源と、
前記光源より観察者側に備えられ、２枚の偏光板、及び該２枚の偏光板の間に配置された液晶層を有する液晶パネルと、
前記液晶パネルの内部又は外部に備えられ、光を透過可能にフィルム面に沿って並列された光透過部、及び、前記光透過部間に光を吸収可能に並列された光吸収部を有するルーバーフィルムと、を備え、
前記ルーバーフィルムは、前記液晶層よりも前記光源側に配置されるとともに、前記ルーバーフィルムの一方の面が空気層に面するとともに一方の面が粘着剤層を介して他の部材に貼合されている、又は、前記ルーバーフィルムの両面が粘着剤層を介して他の部材に貼合されている、表示機器。
【請求項２】
前記ルーバーフィルムは、前記液晶層よりも前記光源側に配置された前記偏光板に貼合されている請求項１に記載の表示機器。
【請求項３】
請求項１又は２に記載の表示機器を備えた携帯端末。
【発明の詳細な説明】
【技術分野】
【０００１】
本発明は、ルーバーフィルムを備えた液晶パネル、ルーバーフィルムを備えた表示機器、及び、該表示機器を備えた携帯端末に関する。
【背景技術】
【０００２】
液晶ディスプレイ等の表示装置は、表示装置が持つ様々な問題を解決してより質の高い映像を観察者に提供するため、表示すべき映像・画像を出射する液晶パネル等の映像源を備えるとともに、該映像源からの映像光の質を高めて観察者側に透過させる光学シートを備えている。
【０００３】
例えば、映像光が表示装置の表示面から必要以上に拡散することによって、該表示装置の操作者だけでなく第三者にも映像が見えてしまうため、プライバシーが侵害されるといった問題があった。また、カーナビゲーション等のように車のダッシュボードに配置される表示装置の場合には、該表示装置からの映像がフロントウインドウへ映り込み、運転者の視界を邪魔するという問題もあった。このような問題を解決する目的で、例えば、特許文献１には、ルーバーフィルムと呼ばれる光学シートの一種が開示されている。ルーバーフィルムとは、光を透過可能にフィルム面に沿って並列された光透過部と、該光透過部間に光を吸収可能に並列された光吸収部とを備えており、表示装置に備えられることによって、いわゆる覗き見防止や映り込み防止、屋外における視認性向上等の機能を発揮するフィルムである。なお、本発明の説明において「フィルム」や「シート」の呼称は特に区別はなく用いている。
【先行技術文献】
【特許文献】
【０００４】
【特許文献１】特開２００２−３０３７０７号公報
【発明の概要】
【発明が解決しようとする課題】
【０００５】
携帯電話などの携帯端末は、携帯性能向上の観点から、軽量化及び薄肉化が重要視されており、内蔵する回路やディスプレイ部材も軽量化及び薄肉化が求められている。しかしながら、従来のルーバーフィルムは基材上に形成されており、基材を含むことによって厚みが厚く、且つ重くなっていた。
【０００６】
そこで本発明は上記問題点に鑑み、軽量化及び薄肉化が可能なルーバーフィルムを備えた表示機器、及び、該表示機器を備えた携帯端末を提供することを課題とする。
【課題を解決するための手段】
【０００７】
以下、本発明について説明する。
【０００８】
請求項１に記載の発明は、光源と、光源より観察者側に備えられ、２枚の偏光板、及び該２枚の偏光板の間に配置された液晶層を有する液晶パネルと、液晶パネルの内部又は外部に備えられ、光を透過可能にフィルム面に沿って並列された光透過部、及び、光透過部間に光を吸収可能に並列された光吸収部を有するルーバーフィルムと、を備え、ルーバーフィルムは、液晶層よりも光源側に配置されるとともに、ルーバーフィルムの一方の面が空気層に面するとともに一方の面が粘着剤層を介して他の部材に貼合されている、又は、ルーバーフィルムの両面が粘着剤層を介して他の部材に貼合されている、表示機器である。
【０００９】
請求項２に記載の発明は、請求項１に記載の表示機器において、ルーバーフィルムは、液晶層よりも光源側に配置された偏光板に貼合されている。
【００１０】
請求項３に記載の発明は、請求項１又は２に記載の表示機器を備えた携帯端末である。
【発明の効果】
【００１１】
本発明によれば、軽量化及び薄肉化が可能なルーバーフィルムを備えた表示機器、及び、該表示機器を備えた携帯端末を提供することができる。
【図面の簡単な説明】
【００１２】
【図１】ルーバーフィルムの一例を概略的に示す断面図である。
【図２】図１に示したルーバーフィルムの一部を拡大して示した図である。
【図３】ルーバーフィルムの製造方法のフローチャートである。
【図４】ルーバーフィルムの製造方法を説明する概念図である。
【図５】光透過部形成工程を説明する概念図である。
【図６】光吸収部形成工程を説明する概念図である。
【図７】表示機器の一部について、その構成を概略的に示す断面図である。
【図８】図７に示した液晶パネルのうち、ルーバーフィルムに入射した光の光路例を表した概念図である。
【発明を実施するための形態】
【００１３】
本発明の上記した作用及び利得は、次に説明する発明を実施するための形態から明らかにされる。以下、本発明を図面に示す実施形態に基づき説明する。なお、図面は、図示と理解のしやすさの便宜上、適宜縮尺及び縦横の寸法比等を実物のそれから変更している。また、各図面において、見易さのために繰り返しとなる符号を一部省略している場合がある。
【００１４】
＜ルーバーフィルム＞
ルーバーフィルムについて説明する。図１は、ルーバーフィルムの一例であるルーバーフィルム１１を概略的に示す断面図である。図２は、図１に示したルーバーフィルム１１の一部を拡大して示した図である。
【００１５】
図１及び図２に示したルーバーフィルム１１は、光を透過可能にフィルム面に沿って並列された光透過部１２、１２、…と、光透過部１２、１２、…間に光を吸収可能に並列された光吸収部１３、１３、…とを備えており、光透過部１２、１２、…及び光吸収部１３、１３、…は、図１に示した断面を有して紙面奥／手前側に延在する形状を備えている。ルーバーフィルム１１は、このような光透過部１２、１２、…及び光吸収部１３、１３、…を備えることによって、表示機器に備えられた際に、光源側から入射した映像光の光路を制御するとともに、迷光や外光を適切に吸収する機能を有することができる。ルーバーフィルム１１の機能については、後に説明する。
【００１６】
光透過部１２、１２、…は、映像光を透過する機能を有する部位で、図１及び図２に表れる断面において、略台形の断面を有する要素である。当該略台形断面における上底及び該上底より長い下底がルーバーフィルム１１のフィルム面に沿う方向に配置されている。また、光透過部１２、１２、…は、屈折率がＮｐであり、光透過性を有する。このような光透過部１２、１２、…は、以下に説明する光透過部構成組成物を硬化させることによって構成することができる。なお、屈折率Ｎｐの値は特に限定されることはないが、適用する材料の入手性の観点等から１．４９〜１．５６であることが好ましい。
【００１７】
光透過部構成組成物としては、紫外線などの光で硬化させられるものが好ましく、例えば、以下に挙げる光硬化型プレポリマー（Ｐ１）、反応性希釈モノマー（Ｍ１）および光重合開始剤（Ｓ１）を配合した光硬化型樹脂組成物が好ましく用いられる。
【００１８】
上記光硬化型プレポリマー（Ｐ１）としては、例えば、エポキシアクリレート系、ウレタンアクリレート系、ポリエーテルアクリレート系、ポリエステルアクリレート系、ポリチオール系等のプレポリマーを挙げることができる。
【００１９】
また、上記反応性希釈モノマー（Ｍ１）としては、例えば、ビニルピロリドン、２−エチルヘキシルアクリレート、β−ヒドロキシアクリレート、テトラヒドロフルフリルアクリレート等を挙げることができる。
【００２０】
また、上記光重合開始剤（Ｓ１）としては、例えば、ヒドロキシベンゾイル化合物（２−ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン（ベンゾフェノン等）、リン酸エステル化合物（１，３，５−トリメチルベンゾイルジフェニルホスフィンオキシド、ビス（２，４，６−トリメチルベンゾイル）−フェニルホスフィンオキシド等）、ベンジルジメチルケタール等が挙げられる。これらのうち光透過部１２、１２、…の着色防止の観点から好ましいのは、２−ヒドロキシ−２−メチル−１−フェニルプロパン−１−オン、１−ヒドロキシシクロヘキシルフェニルケトンおよびビス（２，４，６−トリメチルベンゾイル）−フェニルホスフィンオキシドである。なお、上記光重合開始剤（Ｓ１）は、光透過部構成組成物全量を基準（１００質量％）として、０．５質量％以上５．０質量％以下含まれていることが好ましい。
【００２１】
これらの光硬化型プレポリマー（Ｐ１）、反応性希釈モノマー（Ｍ１）および光重合開始剤（Ｓ１）は、それぞれ、１種あるいは２種以上を組み合わせて用いることができる。
【００２２】
また必要に応じて、光透過部構成組成物中に、塗膜の改質や塗布適性、金型からの離型性を改善させるため、種々の添加剤としてシリコーン系添加剤、レオロジーコントロール剤、脱泡剤、離型剤、帯電防止剤、紫外線吸収剤等を添加することも可能である。
【００２３】
次に、光吸収部１３、１３、…について説明する。光吸収部１３、１３、…は、光透過部１２、１２、…の間に配置され、図１及び図２に表れる断面において略台形面を有する要素である。当該略台形断面における上底及び該上底より長い下底がルーバーフィルム１１のフィルム面に沿う方向に配置されている。また、当該略台形断面の下底に相当する面が光透過部１２、１２、…の上底間に並列されている。そして、光吸収部１３、１３、…の下底、及び光透過部１２、１２、…の上底によりルーバーフィルム１１の一方の面が形成されている。当該略台形断面における斜辺は、ルーバーフィルム１１のフィルム面の法線方向に対して０度以上１０度以下の角度をなしていることが好ましい。なお、斜辺の角度が０度に近い場合、断面は略矩形となる。また、光吸収部１３、１３、…の上記斜辺の傾きは必ずしも一定である必要はなく、折れ線状であってもよいし、曲線状であってもよい。さらに、光吸収部１３、１３、…の断面は、略三角形であってもよい。
【００２４】
また、光吸収部１３、１３、…は、光透過部１２、１２、…の屈折率Ｎｐより小さい屈折率Ｎｂを有する所定の材料により構成されている。このように光透過部１２、１２…の屈折率Ｎｐと光吸収部１３、１３、…の屈折率ＮｂとをＮｐ＞Ｎｂとすることにより、光透過部１２、１２、…に入射した光源からの映像光を、光吸収部１３、１３、…と光透過部１２、１２、…との界面でスネルの法則によって反射させ、観察者に明るい映像を提供することができる。ＮｐとＮｂとの屈折率の差は特に限定されるものではないが、０より大きく０．０６以下であることが好ましい。
【００２５】
また、本実施形態では上記のようにＮｐ＞Ｎｂの関係が好ましいが、必ずしもこれに限定されるものではなく、光透過部の屈折率と光吸収部の屈折率とを同じにしてもよく、光透過部の屈折率を光吸収部の屈折率よりも小さくすることも可能である。
【００２６】
加えて、本実施形態における光吸収部１３、１３、…は、光吸収粒子１４、１４、…と光吸収粒子１４、１４、…を分散させたバインダー１５とを含む光吸収部構成組成物が光透過部１２、１２、…間の溝に充填されることにより構成されている。これにより、光透過部１２、１２、…と光吸収部１３、１３、…との界面でスネルの法則によって反射せずに光吸収部１３、１３、…の内側に入射した映像光を光吸収粒子１４、１４、…で吸収することができる。さらには所定の角度で入射した観察者側からの外光を光吸収粒子１４、１４、…で適切に吸収することができ、映像のコントラストを向上させることも可能となる。
【００２７】
このときバインダー１５が上記の屈折率Ｎｂである材料により構成される。当該バインダーとして用いられるものは特に限定されないが、紫外線などの光によって硬化されるものが好ましく、これには例えば、光硬化型プレポリマー（Ｐ２）に、反応性希釈モノマー（Ｍ２）および光重合開始剤（Ｓ２）を配合した光硬化型樹脂組成物が好ましく用いられる。
【００２８】
上記光硬化型プレポリマー（Ｐ２）としては、例えば、ウレタン（メタ）アクリレート、ポリエステル（メタ）アクリレート、エポキシ（メタ）アクリレート、およびブタジエン（メタ）アクリレート等を挙げることができる。
【００２９】
また、上記反応性希釈モノマー（Ｍ２）としては、例えば、単官能モノマーとして、Ｎ−ビニルピロリドン、Ｎ−ビニルカプロラクトン、ビニルイミダゾール、ビニルピリジン、スチレン等のビニルモノマー、ラウリル（メタ）アクリレート、ステアリル（メタ）アクリレート、ブトキシエチル（メタ）アクリレート、エトキシジエチレングリコール（メタ）アクリレート、メトキシトリエチレングリコール（メタ）アクリレート、メトキシポリエチレングリコール（メタ）アクリレート、メトキシジプロピレングリコール（メタ）アクリレート、パラクミルフェノキシエチル（メタ）アクリレート、ノニルフェノキシポリエチレングリコール（メタ）アクリレート、テトラヒドロフルフリル（メタ）アクリレート、イソボルニル（メタ）アクリレート、シクロヘキシル（メタ）アクリレ−ト、ベンジルメタクリレ−ト、Ｎ，Ｎ−ジメチル（メタ）アクリルアミド、Ｎ，Ｎ−ジメチルアミノプロピル（メタ）アクリレート、アクリロイルモルホリン等の（メタ）アクリル酸エステルモノマー、（メタ）アクリルアミド誘導体が挙げられる。また、多官能モノマーとして、エチレングリコールジ（メタ）アクリレート、ジエチレングリコールジ（メタ）アクリレート、トリエチレングリコールジ（メタ）アクリレート、ポリエチレングリコールジ（メタ）アクリレート、トリプロピレングリコールジ（メタ）アクリレート、ポリテトラメチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、３−メチル−１，５−ペンタンジオールジ（メタ）アクリレート、ネオペンチルグリコールジ（メタ）アクリレート、ジメチロール−トリシクロデカンジ（メタ）アクリレート、ヒドロキシピバリン酸ネオペンチルグリコールジ（メタ）アクリレート、ビスフェノールＡポリプロポキシジオールジ（メタ）アクリレート、トリメチロールプロパントリ（メタ）アクリレート、エトキシ化トリメチロールプロパントリ（メタ）アクリレート、プロポキシ化トリメチロールプロパントリ（メタ）アクリレート、ペンタエリスリトールトリ（メタ）アクリレ−ト、グリセリルトリ（メタ）アクリレート、プロポキシ化グリセリルトリ（メタ）アクリレート、トリス（２−ヒドロキシエチル）イソシアヌレートトリアクリレート、ペンタエリスリトールテトラ（メタ）アクリレ−ト、ジトリメチロールプロパンテトラ（メタ）アクリレ−ト、ジペンタエリスリトールペンタ（メタ）アクリレ−ト、ジペンタエリスリトールヘキサ（メタ）アクリレ−ト等が挙げられる。
【００３０】
また、上記光重合開始剤（Ｓ２）としては、１−ヒドロキシシクロヘキシルフェニルケトン、２−ヒドロキシ−２−メチル−１−フェニルプロパン−１−オン、２，２−ジメトキシ−１，２−ジフェニルエタン−１−オン、２，４，６−トリメチルベンゾイルジフェニルホスフィンオキサイド、ビス（２，４，６−トリメチルベンゾイル）−フェニルホスフィンオキサイド等が挙げられる。これらの中から、光硬化型樹脂組成物を硬化させるための照射装置および光硬化型樹脂組成物の硬化性から任意に選択することができる。本発明において光硬化型樹脂組成物に含まれる光重合開始剤（Ｓ２）の量は、光硬化型樹脂組成物の硬化性およびコストの観点から、光硬化型樹脂組成物全量を基準（１００質量％）として、０．５質量％以上１０．０質量％以下含まれていることが好ましい。
【００３１】
これらの光硬化型プレポリマー（Ｐ２）、反応性希釈モノマー（Ｍ２）および光重合開始剤（Ｓ２）は、それぞれ、１種で、あるいは２種以上を組み合わせて用いることができる。
【００３２】
具体的には、ウレタンアクリレート、エポキシアクリレート、トリプロピレングリコールジアクリレートおよびメトキシトリエチレングリコールアクリレートからなる重合性成分（詳しくは、光硬化型プレポリマー（Ｐ２）および反応性希釈モノマー（Ｍ２））の屈折率、粘度、あるいはルーバーフィルム１１の性能への影響等を考慮して任意に配合して用いる。
【００３３】
また必要に応じて、添加剤として、シリコーン、消泡剤、レベリング剤および溶剤等を光吸収部構成組成物に添加してもよい。
【００３４】
光吸収粒子１４、１４、…は、光吸収部構成組成物中に含まれ、光吸収部１３、１３、…を構成したとき、迷光や外光を吸収するように作用する。
【００３５】
光吸収粒子１４、１４、…としては、カーボンブラック等の光吸収性の着色粒子が好ましく用いられるが、これらに限定されるものではなく、映像光の特性に合わせて特定の波長を選択的に吸収する着色粒子を使用してもよい。具体的には、カーボンブラック、グラファイト、黒色酸化鉄等の金属塩、染料、顔料等で着色した有機微粒子や着色したガラスビーズ等を挙げることができる。特に、着色した有機微粒子が、コスト面、品質面、入手の容易さ等の観点から好ましく用いられる。より具体的には、カーボンブラックを含有したアクリル架橋微粒子や、カーボンブラックを含有したウレタン架橋微粒子等が好ましく用いられる。こうした着色粒子は、通常、上記の光吸収部構成組成物中に３質量％以上３０質量％以下の範囲で含まれる。着色粒子の平均粒子径は１．０μｍ以上２０μｍ以下であることが好ましい。光吸収部１３、１３、…を形成する際には、後に説明するように、着色粒子を含有する光吸収部構成組成物を光透過部１２、１２、…間の溝に充填しつつ、ドクターブレードを用いて余剰分の光吸収部構成組成物を掻き落とす工程が含まれる。このとき、平均粒子径が１．０μｍ以上の着色粒子を用いることによって、着色粒子がドクターブレードと光透過部１２、１２、…との間の隙間を抜け難くなることを防止し、光透過部１２、１２、…上に着色粒子が残留することを防止できる。
【００３６】
また、光透過部を構成する材料によっては、光吸収部の表面は光透過部の表面に対して、同一平面上（平滑）に充填される場合もあれば、凹部状に充填される場合もある。
【００３７】
なお、光を吸収させるための手段は本実施形態のように光吸収粒子による方法に限定されるものではない。他には例えば、顔料や染料により光吸収部全体を着色することを挙げることができる。
【００３８】
光吸収部１３、１３、…は、上記光吸収部構成組成物を用いて、後に詳述するようにして形成することができる。
【００３９】
＜ルーバーフィルムの製造方法＞
図３はルーバーフィルムの製造方法のフローチャートである。図４は、ルーバーフィルムの製造方法を説明する概念図である。図５は、光透過部形成工程を説明する概念図である。図６は、光吸収部形成工程を説明する概念図である。以下、図１及び図２に示したルーバーフィルム１１の製造方法を例にして、図１〜図６を参照しつつ、ルーバーフィルムの製造方法について説明する。
【００４０】
ルーバーフィルムの製造方法は、光を透過可能にフィルム面に沿って並列された光透過部１２、１２、…と、光透過部１２、１２、…間に光を吸収可能に並列された光吸収部１３、１３、…とを備えたルーバーフィルム１１を製造する方法である。具体的には、基材１０上に光透過部１２、１２、…を形成する光透過部形成工程Ｓ２（以下、単に「工程Ｓ２」と表記する場合がある。）、及び光透過部１２、１２、…間に光吸収部１３、１３、…を形成する光吸収部形成工程Ｓ３（以下、単に「工程Ｓ３」と表記する場合がある。）を経て、基材１０上にルーバーフィルム１１を形成する工程と、基材１０とルーバーフィルム１１とを剥がす剥離工程Ｓ４（以下、単に「工程Ｓ４」と表記する場合がある。）と、を含んでいる。また、工程Ｓ４において基材１０とルーバーフィルム１１とを引き剥がすことを容易にする剥離層１８を、基材１０のルーバーフィルム１１が形成される側の面に付与する、剥離層形成工程Ｓ１（以下、単に「工程Ｓ１」と表記する場合がある。）を含むことが好ましい。以下、これらの工程について説明する。
【００４１】
（剥離層形成工程Ｓ１）
工程Ｓ１は、工程Ｓ４において基材１０とルーバーフィルム１１とを引き剥がすことを容易にする剥離層１８を、基材１０のルーバーフィルム１１が形成される側の面に付与する工程である。
【００４２】
従来のルーバーフィルムの製造方法では、ルーバーフィルム単体では剛性が弱いため、その補強を目的として基材を用いていた。当該基材上にルーバーフィルムを形成することによって、製造時等におけるルーバーフィルムの強度を確保していた。特に、紫外線硬化型樹脂を用いてルーバーフィルムを作製する場合、基材は必須であった。さらに、従来のルーバーフィルムの製造方法で製造されたルーバーフィルムは、表示機器などに組み込まれた後も基材を備えたままにするため、ルーバーフィルムと基材とが分離しないように、強固に接着させていた。
【００４３】
一方、このルーバーフィルムの製造方法では、工程Ｓ４において基材１０とルーバーフィルム１１とを分離する。そのため、工程Ｓ１において剥離層１８を設けておくことが好ましい。剥離層１８は、ルーバーフィルム１１の製造時に、基材１０とルーバーフィルム１１とを仮に接着させておくことを目的とする層であり、その接着力は後で工程Ｓ４において基材１０とルーバーフィルム１１とを引き剥がせる程度にする必要がある。ただし、剥離層１８の接着力は、工程Ｓ２などにおいて基材１０とルーバーフィルム１１とが分離しない程度の接着力を有する必要がある。すなわち、後に説明するように、工程Ｓ２が光透過部１２、１２、…の形状に対応した溝を有する金型ロール３２を用いて光透過部１２、１２、…を形成する工程である場合、剥離層１８は、工程Ｓ２において金型ロール３２と光透過部１２、１２、…とを引き剥がすのに要する力より強い接着力で基材１０とルーバーフィルム１１とを接着させる接着力を有する必要がある。
【００４４】
上述したような剥離層１８を構成する材料としては、接着力を調整可能な、公知の接着性樹脂を用いることができる。当該接着性樹脂としては、例えば、アクリル系樹脂とメラミン系樹脂とを所定の割合で含む混合樹脂を用いることができる。当該混合樹脂において、アクリル系樹脂とメラミン系樹脂との混合比率は、アクリル系樹脂１０質量部以上９０質量部以下、メラミン系樹脂１０質量部以上９０質量部以下であることが好ましい。当該混合樹脂において、アクリル系樹脂の量が多くなると接着力が強くなり、メラミン系樹脂の量が多くなると接着力が弱くなる。当該混合樹脂に含まれるアクリル系樹脂としては、官能性モノマーを共重合したアクリル系樹脂が挙げられる。当該アクリル系樹脂としては、例えば、三菱レイヨン株式会社製のダイヤナールＨＲ６０６、東レ株式会社製のコータックスＳＡ１０７〜３０２、ＤＩＣ株式会社製のアクリデックＡ４０５〜４０９等の製品がある。また、当該混合樹脂に含まれるメラミン系樹脂としては、ブタノール変性またはメタノールしたメラミン系樹脂が挙げられる。当該ブチル化メラミン樹脂としては、例えば、ＭＴアクアポリマー株式会社製のユーバン２０ＳＢ、日立化成工業株式会社製のメラン２４等があり、当該メチル化メラミン樹脂としては、例えば、ＭＴアクアポリマー株式会社製のサイメル３２５、ＤＩＣ株式会社製のＬ−１０５−６０等がある。このような混合樹脂を用いて剥離層１８を形成する方法は特に限定されない。例えば、グラビアコーター等を用いて当該混合樹脂を塗布して乾燥し、当該混合樹脂からなる剥離層１８を形成する方法が考えられる。
【００４５】
なお、剥離層１８は、基材１０のルーバーフィルム１１が形成される側の面の全面に形成する必要はなく、剥離層１８を形成する上記目的を果たせる範囲で形成されていればよい。
【００４６】
また、このルーバーフィルムの製造方法において工程Ｓ１は必須ではなく、工程Ｓ４において、加熱や加湿などによって基材１０とルーバーフィルム１１とを引き剥がすことも可能である。
【００４７】
（光透過部形成工程Ｓ２）
工程Ｓ２は、図４（ａ）に示すように、基材１０上に光透過部１２、１２、…を形成する工程である。なお、図４（ａ）には剥離層１８を介して基材１０上に光透過部１２、１２、…が形成された例を示しているが、上述したように、剥離層１８は必須ではない。
【００４８】
光透過部１２、１２、…は、例えば、図５に示した装置を用いることによって形成できる。すなわち、光透過部１２、１２、…を形成するには、まず、所定のピッチで光透過部１２、１２、…の形に対応した形の溝を有する金型ロール３２を準備する。次に、当該金型ロール３２とニップロール３１との間に基材１０を送り込む。図５に示した矢印ｘは、基材１０を送り込む方向である。この基材１０の送り込みに合わせて、光透過部構成組成物３６の液滴を供給装置３５によって金型ロール３２と基材１０との間に供給し続ける。供給装置３５から基材１０上に光透過部構成組成物３６を供給するとき、金型ロール３２と基材１０との間に、光透過部構成組成物３６が溜まったバンクが形成されるようにする。このバンクにおいて、光透過部構成組成物３６が基材１０の幅方向に広がる。
【００４９】
上記のようにして金型ロール３２と基材１０との間に供給された光透過部構成組成物３６は、金型ロール３２およびニップロール３１間の押圧力により、基材１０と金型ロール３２との間に充填される。その後、照射装置３４によって基材１０上の光透過部構成組成物３６に紫外線などを照射し、光透過部構成組成物３６を硬化させることによって光透過部１２、１２、…を形成することができる。光透過部１２、１２、…が形成された後、基材１０上に光透過部１２、１２、…が形成されたシートは、剥離ロール３３を介して引かれることによって、金型ロール３２から引き剥がされる。
【００５０】
なお、基材１０は、ポリエチレンテレフタレート（ＰＥＴ）を主成分とした材料で構成されることが好ましい。基材１０がＰＥＴを主成分とする場合、基材１０には他の樹脂が含まれてもよい。また、各種添加剤を適宜添加してもよい。一般的な添加剤としては、フェノール系等の酸化防止剤、ラクトン系等の安定剤等を挙げることができる。ここで「主成分」とは、基材層を形成する材料全体に対して上記ＰＥＴが５０質量％以上含有されていることを意味する（以下、同様とする。）。
【００５１】
ただし、基材１０を構成する材料の主成分は、必ずしもＰＥＴである必要なく、その他の材料でもよい。これには例えば、ポリブチレンテレフタレート、ポリエチレンナフタレート、テレフタル酸−イソフタル酸−エチレングリコール共重合体、テレフタル酸−シクロヘキサンジメタノール−エチレングリコール共重合体などのポリエステル系樹脂、ナイロン６などのポリアミド系樹脂、ポリプロピレン、ポリメチルペンテンなどのポリオレフィン系樹脂、ポリメチルメタクリレートなどのアクリル系樹脂、ポリスチレン、スチレン−アクリロニトリル共重合体などのスチレン系樹脂、トリアセチルセルロース等のセルロース系樹脂、イミド系樹脂、ポリカーボネート樹脂等を挙げることができる。また、これら樹脂中には、必要に応じて適宜、紫外線吸収剤、充填剤、可塑剤、帯電防止剤などの添加剤を加えても良い。
なお、性能に加え、量産性、価格、入手可能性等の観点からは、ＰＥＴを主成分とする樹脂によって基材１０を構成することが好ましい。
【００５２】
（光吸収部形成工程Ｓ３）
工程Ｓ３は、図４（ｂ）に示すように、工程Ｓ２で基材１０上に形成した光透過部１２、１２、…の間に光吸収部１３、１３、…を形成する工程である。光吸収部１３、１３、…は、例えば、図６に示した装置を用いることによって形成できる。すなわち、図６に示すように、まず、基材１０上に光透過部１２、１２、…が形成されたシートの該光透過部１２、１２、…上に光吸収部構成組成物３８を供給し、光透過部１２、１２、…間の溝１３’、１３’、…に、光吸収部構成組成物３８を充填する。このとき、ドクターブレード３７によって光吸収部構成組成物３８を光透過部１２、１２、…間の溝１３’、１３’、…に充填しつつ、余剰分の光吸収部構成組成物３８を掻き落とす。その後、光透過部１２、１２、…間の溝１３’、１３’、…に残った光吸収部構成組成物３８に紫外線などを照射して硬化させることにより、光透過部１２、１２、…間に光吸収部１３、１３、…を形成することができる。なお、図６に示した矢印ｙは、基材１０上に光透過部１２、１２、…が形成されたシートの送り方向である。
【００５３】
このとき、光透過部１２、１２、…の弾性率は１０ＭＰａ以上２０００ＭＰａ未満であることが好ましい。光透過部１２、１２、…の弾性率が２０００ＭＰａ以上になると、硬くなり、ワレや欠けの不具合が発生したり、上記のようにして光吸収部１３、１３、…を形成する際に、ルーバーフィルム１１の表面に外観不良を生じたり、ルーバーフィルム１１の透過率が低下したりする虞がある。すなわち、光透過部１２、１２、…が硬すぎると、光透過部１２、１２、…上に供給した光吸収部構成組成物３８のうち余剰分をドクターブレード３７で掻き取る際、ドクターブレード３７を光透過部１２、１２、…に押し付けても光透過部１２、１２、…が変形しないため、余剰分の光吸収部構成組成物３８を掻き落としきれない虞がある。光透過部１２、１２、…の弾性率を上記範囲にすると、ドクターブレード３７を押し付けた際、光透過部１２、１２、…の変形により、余剰分の光吸部構成組成物３８の掻き取り不良をなくし、ルーバーフィルム１１の表面に外観不良を生じたり、ルーバーフィルム１１の透過率が低下したりすることを防止できる。なお、光透過部１２、１２、…の弾性率が１０ＭＰａ以下だと光透過部１２、１２、…が軟らか過ぎるため、図５に示した過程において、光透過部１２、１２、…が金型ロール３２から離型し難くなる。
【００５４】
（剥離工程Ｓ４）
工程Ｓ４は、工程Ｓ２及び工程Ｓ３を経て基材１０上にルーバーフィルム１１が形成されたシートについて、基材１０とルーバーフィルム１１とを引き剥がす工程である。基材１０とルーバーフィルム１１とを引き剥がす方法としては、例えば、以下のような方法が考えられる。まず、基材１０上にルーバーフィルム１１が形成されたシートの端部において、基材１０とルーバーフィルム１１との界面にカッターナイフのような鋭利な物の先端を挿入し、基材１０とルーバーフィルム１１とを剥離させる。このとき、事前に当該シートを湿熱環境下に保持しておけば、基材１０とルーバーフィルム１１との剥離が容易になる。シートの端部において基材１０とルーバーフィルム１１とを剥離させれば、後は弱い力で基材１０とルーバーフィルム１１との剥離を進展させることができる。シートの幅方向全域において基材１０とルーバーフィルム１１との剥離を進展させた後、ルーバーフィルム１１を柱状体等に巻きつけて転がせば、基材１０とルーバーフィルム１１との剥離が容易になる。
【００５５】
このように、上記のルーバーフィルムの製造方法によれば、光学性能に寄与しない基材を取り除くことによって、ルーバーフィルムとしての機能は保持しつつ、軽量化及び薄肉化されたルーバーフィルムを得ることができる。一方、ルーバーフィルムを安定的に生産するには、製造時においてある程度の強度を持たせる必要があり、かかる観点から基材の果たすべき役割は大きい。上記のルーバーフィルムの製造方法によれば、ルーバーフィルムの製造時には基材を用いているため、ルーバーフィルムを安定的に生産することができる。
【００５６】
上記の製造方法によって製造されたルーバーフィルムは、液晶パネルやエレクトロルミネセンス（ＥＬ）パネル等の各種表示機器を備えた表示装置に用いることができる。以下には、ルーバーフィルムを液晶パネルに用いた例について説明する。
【００５７】
＜液晶パネル＞
次に、液晶パネルについて説明する。図７は、一つの実施形態にかかる液晶パネル４を備えた表示機器の一部について、その構成を概略的に示す断面図である。図７において、紙面右側が観察者側である。
【００５８】
図７に示した液晶パネル４は、２枚の偏光板４１、４５、及び該２枚の偏光板４１、４５の間に配置される液晶層４３を備える液晶パネルである。また、２枚の偏光板４１、４５のうち、液晶パネル４が表示機器に組み込まれた際に観察者側となる方の偏光板４５の観察者側の面に、粘着剤層４８を介してルーバーフィルム１１が貼合されるとともに、該ルーバーフィルム１１が液晶パネル４の最外層となっている。液晶パネル４の構成についてさらに詳細に説明すると、液晶層４４はＴＦＴ基板４２及びＣＦ基板４４に挟持されており、偏光板４１は粘着剤層４６を介してＴＦＴ基板４２に貼合されており、偏光板４５は粘着剤層４７を介してＣＦ基板４４に貼合されている。以下、液晶パネル４を構成するこれらの要素について説明する。
【００５９】
ルーバーフィルム１１は上記のルーバーフィルムの製造方法によって製造されたものであり、光を透過可能にフィルム面に沿って並列された光透過部１２、１２、…と、該光透過部１２、１２、…間に光を吸収可能に並列された光吸収部１３、１３、…とを備えている。また、ルーバーフィルム１１の厚さ方向の断面において、光吸収部１３、１３、…の断面形状は、上底及び該上底より長い下底を有する略台形である。さらに、ルーバーフィルム１１は、光吸収部１３、１３、…の略台形断面の下底が偏光板４５側となるように配置されている。
【００６０】
ルーバーフィルム１１は従来のルーバーフィルムには備えられていた基材を有していないので、液晶パネル４にルーバーフィルム１１を備えつつ、液晶パネル４の軽量化及び薄肉化を可能にしている。本発明の液晶パネルを搭載可能な装置に特に制限はないが、軽量化及び薄肉化が可能であるという観点から、軽量化及び薄肉化が重要視される携帯電話等の携帯端末に好適に用いることができる。
【００６１】
また、ルーバーフィルム１１に基材がないことによって、液晶パネル４を表示機器に備えさせた場合に、外光の反射面が一つ減ることになる。すなわち、従来はルーバーフィルムと基材との界面が外光の反射面になっていたが、ルーバーフィルム１１には基材がないため、当該反射面をなくすことができる。外光の反射面を減らすことによって、映像光のコントラストを向上させることができる。
【００６２】
また、従来は、通常、液晶パネルを表示機器に組み込んだ後に、該表示機器の表示面にルーバーフィルムを貼合していた。すなわち、液晶層とルーバーフィルムとの距離が離れており、映像光が結像する領域から離れた位置にルーバーフィルムが備えられていた。このような場合、映像光の反射等によって、いわゆるゴーストが発生する虞がある。一方、液晶パネル４によれば、液晶パネルにルーバーフィルムが備えられていることによって光源とルーバーフィルムとが近くなり、ゴーストの発生を抑制することができる。
【００６３】
また、液晶パネル４がルーバーフィルム１１を備えていることによって、従来は液晶パネルを表示装置に設置した後に該表示装置の表示面に後からルーバーフィルムを貼っていたが、その手間を省くことができる。
【００６４】
また、以下に説明するように、ルーバーフィルム１１は、光源側から入射された映像光を集光することによって、いわゆる覗き見を防止することができる。さらに、映像光を集光することによって、光源から発せられる光を弱くしても表示される映像を認識できるようになるため、消費電力を抑えることができる。さらに、屋外での視認性を向上させることもできる。
【００６５】
図８は、図７に示した液晶パネル４のうち、ルーバーフィルム１１に入射した光の光路例を表した概念図である。
【００６６】
光源１側からルーバーフィルム１１に入射した映像光Ｌ１１は、ルーバーフィルム１１を透過して、通常に観察者側に出射される。また、上述したように光透過部１２、１２、…と光吸収部１３、１３、…とに屈折率差を与えることによって、映像光Ｌ１２、Ｌ１３は、光透過部１２、１２、…と光吸収部１３、１３、…との界面で反射されて観察者側に出射される。このとき光吸収部１３、１３、…の斜辺を上述したように傾斜させることによって、当該斜辺による反射の前後で光の角度が変わり、映像光を表示機器の表示面の正面方向に集光させることができる。
【００６７】
また、映像光Ｌ１５は、光透過部１２、１２、…と光吸収部１３、１３、…との屈折率差に基づいて、その界面で反射することなく、光吸収部１３、１３、…に侵入した映像光である。このような映像光Ｌ１５は、光吸収粒子１４により吸収される。また、迷光もこのような態様により吸収させることができる。一方、外光として観察者側からルーバーフィルム１１に入射した外光Ｌ１４は、光吸収部１３に入射して光吸収粒子１４により吸収される。このように外光の一部が光吸収部１３、１３、…に吸収されてコントラストを向上させることができる。
【００６８】
図７に戻って、粘着剤層４６、４７、４８について説明する。粘着剤層４６、４７、４８は粘着剤を含む層である。粘着剤層４６、４７、４８に用いる粘着剤としては、公知の粘着材、接着剤を用いることができ、光学的に透明で使用環境下での剥離、著しい変色が無く、また他の部材へ損傷を与えないものがよい。
【００６９】
偏光板４１、４５は、液晶層４４を挟むように配置される一対の光学要素であり、吸収軸方向に平行な振動面を有する偏光を吸収する一方、吸収軸方向に直交する振動面を有する偏光光を透過する機能を有する。このような偏光板４１、４５としては、通常の液晶パネルに備えられているものを用いることができる。
【００７０】
ＴＦＴ基板４２には、液晶層４３側にＴＦＴなどのアクティブ素子とサブ画素となる電極が配列されている。ＣＦ基板４４は、液晶層４３側にブラック・マトリックス（ＢＭ）やＲ（赤）、Ｇ（緑）、Ｂ（青）というカラーフィルタが配列され、さらに透明電極による共通電極またはコモン電極と呼ばれるものが基板全面に作られる。液晶層４３には、ここに出射されるべき映像情報が表されている。このようなＴＦＴ基板４２、液晶層４３、及びＣＦ基板４４としても、通常の液晶パネルに備えられているものを用いることができる。
【００７１】
液晶パネル４は、図７に示すように表示機器に組み込んで用いることができる。図７に示した表示機器は、光源１、反射層２を備えた導光板３、空気層Ｂを介して導光板３より観察者側に配置された液晶パネル４、空気層Ａを介して該液晶パネル４より観察者側に配置され保護板６、及び保護板６の観察者側に形成された機能層７を備えている。
【００７２】
光源１は、通常の液晶表示装置に用いられるものを用いることができる。図７には、縁（エッジ）に光源１を配置して反射層２等を利用して最終的に面状に光を出射するエッジ入力型とする形態を例示している。しかしながら、本発明はかかる形態に限定されず、光源を面内に略均等に配置して面状の光源とする形式等でもよい。光源１からの光が映像光となり、液晶パネル４等を透過して観察者側に出射される。
【００７３】
反射層２及び導光板３は、光源１からの光を液晶パネル４に向けて出射する目的で備えられる。光源１からの光は、導光板３内を全反射しながら伝播し、適切な場所から液晶パネル４側に出射される。導光板３には、通常、光源１からの光を制御するためのプリズム、レンズ、エンボス等が、表面又は裏面に、連続的又はランダムに設けられている。反射層２は、導光板３の液晶パネル４側とは反対側に向かう光を液晶パネル４側に反射するために設けられている。このような反射層２及び導光板３としては、通常の液晶表示装置に用いられるものを用いることができる。
【００７４】
保護板６は、通常、表示装置の筐体等に固定されており、液晶パネル４と保護板６との間には空気層Ａが形成される。そして、液晶パネル４は、ルーバーフィルム１１が該空気層Ａと接するように配設される。
【００７５】
保護板６は、映像光を透過可能な透明な基材を有しており、通常、該基材の周縁部には着色層（不図示）が形成されている。保護板６を備えることによって、表示機器の観察者側の面を保護することができる。また、保護板６に着色層を付与することによって、表示機器の画像表示領域の周辺部に設置されている端子、バックライト等の部材を、観察者側から見えないようにすることができる。
【００７６】
保護板６に用いる基材としては、透明であり、適度な機械的強度を有する材料及び厚みのものを用いることができる。当該基材に用いる材料の具体例としては、アクリル系樹脂、スチレン系樹脂、アクリロニトリル・スチレン系樹脂（ＡＳ樹脂）、ポリカーボネート系樹脂、ポリエステル系樹脂、ポリオレフィン系樹脂等の有機材料や、ガラス、セラミックス等の無機材料を挙げることができる。なお、基材は一層で構成されていても良く、無機材料からなるシートと有機材料からなるシートを積層して構成しても良い。
【００７７】
保護板６に設けられる着色層は上記のように、表示機器の意匠性を向上させるために任意に設けられる層である。着色層の色は特に限定されず、黒色、褐色、白色、紺色、赤色、金色、銀色などを例示することができる。このような着色層は、例えば、シルクスクリーン印刷、グラビア印刷、転写印刷などの印刷法によって形成することができる。
【００７８】
機能層７は、一層または複数の層からなる積層体によって構成することができる。機能層７に備えられる層としては、例えば、ハードコート層が挙げられる。ハードコート層は、表示機器の最も観察者側に配置されており、表示機器の表示面を構成する。したがって、ハードコート層は、外部との接触に起因した擦傷に対する耐性が付与されている。このようなハードコート層は、例えば、光硬化型樹脂を硬化させることによって形成できる。当該光硬化型樹脂の具体例としては、アクリルウレタン系の光硬化型樹脂を挙げることができる。また、ハードコート層は、表示機器の表示面を構成するため、場合によっては防眩機能を有していることが好ましい。防眩機能を有するハードコート層によれば、表示機器の表示面での外光の反射や外部像の写りこみを防止して、表示機器の表示面に表示される映像の視認性を向上させることができる。なお、機能層７に備えられる層はハードコート層に限定されず、従来の表示機器に備えられるものを適宜備えさせることができる。
【００７９】
なお、これまでの本発明の説明では、ルーバーフィルム１１が液晶パネル４の最外層であるとともに一方の面が粘着剤層４８を介して偏光板４５に貼合されている形態を例示して説明したが、かかる形態に限定されない。ルーバーフィルムは、液晶パネルを構成する他の層間に適宜配置することが可能である。例えば、図７に示したような層構成であれば、ＣＦ基板４４と偏光板４５との間、ＴＦＴ基板４２と偏光板４１との間、偏光板４１の導光板３側の面等にルーバーフィルム１１を配置することができる。また、表示機器は、かかる形態に限定されない。例えば、ルーバーフィルムは保護板等に貼合してもよい。さらに、ルーバーフィルムが配置される向きは、用途によっては、図示した方向と表裏が逆向きでもよい。
【００８０】
以下、ルーバーフィルムの作製例について説明をおこなう。
【００８１】
（作製例１）
表１に示した寸法のルーバーフィルムを作製した。具体的には以下の通りである。なお、表１に示した寸法は、図１に示した文字に対応している。
【００８２】
図１に示した箇所の寸法がそれぞれ表１に示した寸法となるような金型ロールを準備した。この金型ロールとニップロールとの間に、基材（東洋紡績株式会社製、Ａ４３００）を送り込んだ。この基材の送り込みに合わせて、光透過部構成組成物を金型ロールと基材との間に供給し、光透過部構成組成物が金型ロールの溝に充填されるように、金型ロールおよびニップロールで該光透過部構成組成物を押圧した。その後、基材側から高圧水銀灯により８００ｍＪ／ｃｍ２の紫外線を照射して光透過部構成組成物を硬化させ、光透過部を形成した。
【００８３】
次に、光吸収部構成組成物を供給装置から上で得られた光透過部上に供給し、ドクターブレードを用いて光吸収部構成組成物を光透過部間の溝に供給するとともに、余剰分の光吸収部構成組成物を掻き落とした。その後、基材が備えられる側とは反対側から紫外線を照射して光吸収部構成組成物を硬化させ、硬化した光吸収部構成組成物によって、光吸収部を形成した。以上のようにして、基材上に光透過部及び光吸収部を有するルーバーフィルムを形成した。
【００８４】
次に、（メタ）アクリル系樹脂粘着剤（綜研化学株式会社製、ＳＫダイン２０９４）１００質量部に対して、硬化剤（綜研化学株式会社製、Ｅ−５ＸＭ）０．２５質量部、溶剤ＭＩＢＫ３０質量部を各々添加し、充分分散させて粘着剤組成物を調製した。当該粘着剤組成物を、厚みが２５μｍ、幅方向に１３７０ｍｍとなるように、ルーバーフィルムの基材とは反対側の面に塗工し、８０℃で３分乾燥した。乾燥後に、得られた塗膜上に更に、離型処理ＰＥＴフィルム（離型フィルム、厚み：３８μｍ、幅１３８０ｍｍ）を被覆した。
【００８５】
上記のようにして基材上にルーバーフィルムを形成した後、８０℃、湿度９０％の雰囲気に２４時間放置した後、基材とルーバーフィルムとを引き剥がした。その結果、ルーバーフィルムと基材とを引き剥がして基材を有さないルーバーフィルムを作製することができた。
【００８６】
（作製例２）
光透過部構成組成物及び光吸収部構成組成物として他の紫外線硬化型樹脂を用いるとともに、金型ロールの寸法を変更した以外は実施例１と同様にしてルーバーフィルムを作製した。実施例２において作製したルーバーフィルムの寸法は、表１の通りである。実施例２においても、ルーバーフィルムと基材とを引き剥がして基材を有さないルーバーフィルムを作製することができた。
【００８７】
【表１】
2014206754.tif 000003
【符号の説明】
【００８８】
１  光源
２  反射層
３  導光板
４  液晶パネル
６  保護板
７  機能層
１０  基材
１１  ルーバーフィルム
１２  光透過部
１３  光吸収部
１３’  溝
１４  光吸収粒子
１５  バインダー
１８  剥離層
３１  ニップロール
３２  金型ロール（金型）
３３  剥離ロール
３４  照射装置
３５  供給装置
３６  光透過部構成組成物
３７  ドクターブレード
３８  光吸収部構成組成物
４１  偏光板
４２  ＴＦＴ基板
４３  液晶層
４４  ＣＦ基板
４５  偏光板
４６  粘着剤層
４７  粘着剤層
４８  粘着剤層
Ａ  空気層
Ｂ  空気層
【図１】
2014206754.tif 000004
【図２】
2014206754.tif 000005
【図３】
2014206754.tif 000006
【図４】
2014206754.tif 000007
【図５】
2014206754.tif 000008
【図６】
2014206754.tif 000009
【図７】
2014206754.tif 000010
【図８】
2014206754.tif 000011